(57)【要約】【課題】特定エリアに入ったユーザに対してモード変更に関する同意を得ると共に、同意したユーザには特典を与えてモード変更に係るユーザ同意を得易くすること。【解決手段】携帯電話機１からコンテンツサーバ３にアクセスして確認画面を取得して表示し、確認画面上でユーザがモード変更に同意した場合は同意情報をコンテンツサーバ３へ送信する。コンテンツサーバ３が携帯電話機１から同意情報を受信した場合には、携帯電話機１に対し確認画面で提示した特典のコンテンツをダウンロードすると共にモード変更の制御情報を送信する。携帯電話機１ではコンテンツを保存すると共にモード変更の制御情報を記憶し、現在位置情報及び時刻情報を取り込んで制御情報に定めた特定エリア及び期間と比較し、現在位置が特定エリア内でかつ現在時刻が期間内であれば動作モードを前記制御情報に定めたモードへ変更する。【選択図】図１
2008277937.tif 000002
【特許請求の範囲】
【請求項１】
移動機に特典情報を含んだ確認画面を表示して当該確認画面上でモード変更に同意があった場合、当該移動機に前記特典のコンテンツをダウンロードすると共にモード変更の制御情報を移動機内に保存し、当該移動機が前記制御情報にしたがって当該制御情報に定めた期間及び特定エリアにおいて動作モードを変更する移動機のモード変更方法。
【請求項２】
前記モード変更の制御情報は、前記特典のコンテンツとセットで又はコンテンツに埋め込んで移動機にダウンロードすることを特徴とする請求項１記載の移動機のモード変更方法。
【請求項３】
前記移動機が特定エリアの外へ移動した場合は、当該移動機の動作モードを元のモードに復帰することを特徴とする請求項１又は請求項２記載の移動機のモード変更方法。
【請求項４】
前記移動機の動作モードを元のモードに復帰した際に振動又は音を発することを特徴とする請求項３記載の移動機のモード変更方法。
【請求項５】
コンテンツサーバにアクセスして特典情報を含んだ確認画面を取得すると共に当該確認画面上でモード変更に同意があった場合は特典取得要求及び同意情報を前記コンテンツサーバへ送信する制御手段と、
前記同意情報を受信した前記コンテンツサーバから送られて来るモード変更の制御情報を記憶する制御情報記憶手段と、
前記制御情報記憶手段に記憶された制御情報に定めた特定エリア及び期間と現在の位置情報及び時刻情報とを比較して、現在位置が特定エリア内でかつ現在時刻が期間内であれば動作モードを前記制御情報に定めたモードへ変更するモード制御手段と、
を具備したことを特徴とするモード変更機能付き移動機。
【請求項６】
前記モード制御手段は、モード変更後に移動機が特定エリア外へ移動したことを検出すると、動作モードを元のモードへ復帰させることを特徴とする請求項５記載のモード変更機能付き移動機。
【請求項７】
前記モード制御手段は、モード変更後に移動機が特定エリア外へ移動したことを検出すると、現在の変更モードを解除して元のモードへ復帰するか否か確認する確認画面を表示することを特徴とする請求項６記載のモード変更機能付き移動機。
【請求項８】
基地局又は無線ＬＡＮアクセスポイントを経由してコンテンツサーバにアクセスして特典情報を含んだ確認画面を取得すると共に当該確認画面上でモード変更に同意があった場合は特典取得要求及び同意情報を前記コンテンツサーバへ送信する制御手段と、
前記同意情報を受信した前記コンテンツサーバから送られて来るモード変更の制御情報を記憶する制御情報記憶手段と、
前記制御情報記憶手段に記憶された制御情報に定めた特定エリア及び期間と現在の位置情報及び時刻情報とを比較して、現在位置が特定エリア内でかつ現在時刻が期間内であれば動作モードを前記制御情報に定めたセルフモード、マナーモード又は電源オフモードへ変更するモード制御手段と、
を具備したことを特徴とするモード変更機能付き携帯電話機。
【請求項９】
移動機からコンテンツサーバにアクセスして特典情報を含んだ確認画面を取得して表示し、確認画面上でユーザがモード変更に同意した場合は同意情報を前記コンテンツサーバへ送信し、
コンテンツサーバが移動機から前記同意情報を受信した場合には、移動機に対し前記確認画面で提示した特典のコンテンツをダウンロードすると共にモード変更の制御情報を送信し、
前記コンテンツサーバから送られて来るコンテンツを保存すると共にモード変更の制御情報を移動機内に記憶し、移動機の現在の位置情報及び時刻情報を取り込んで前記制御情報に定めた特定エリア及び期間と比較し、現在位置が特定エリア内でかつ現在時刻が期間内であれば動作モードを前記制御情報に定めたモードへ変更することを特徴とする移動機のモード変更システム。
【発明の詳細な説明】
【技術分野】
【０００１】
本発明は、特定エリアに入ると移動端末のモードを変更する移動機のモード変更方法及び移動機に関する。
【背景技術】
【０００２】
従来、限られた範囲に電波が放射され、その範囲に入ると携帯電話機のモード（電源オフ、マナーモードのオン／オフ等）を自動的に変更する携帯電話機のモード切替方法が提案されている（例えば、特許文献１参照）。
【０００３】
特許文献１記載の携帯電話機システムでは、基地局側から限られた範囲に放射される電波のうち受信レベル測定用の信号を示す止まり木チャネルでモード変更命令データを送信する。携帯電話機では、止まり木チャネルを受信して、止まり木チャネル内における自端末の状態変更を指示するモード変更命令データの有無を判定する。その結果、モード変更命令データ有りと判定された時に当該モード変更命令データの内容に応じて自端末の電源オフと着信音を制御させるためのマナーモードのオンオフとを制御する。
【特許文献１】特開２００１−７８２６３号公報
【発明の開示】
【発明が解決しようとする課題】
【０００４】
しかしながら、上記従来の携帯電話機のモード切替え方法では、携帯電話機のモードを自動的に変更してしまうため、種々の不都合が生じる可能性がある。例えば、ユーザの携帯電話機のモードを勝手に切替えることにユーザに不快感を与える恐れがある。また、映画館、コンサートホール等の特定エリアに入ったユーザが所持する携帯電話機のモードを自動的に切替えてしまうと、上演／開演時間まで通話やコンテンツの送受信を行っても問題ない状況であるにも拘わらず、一律に規制されてしまう不都合がある。
【０００５】
本発明は、かかる点に鑑みてなされたものであり、指定場所に入ったユーザに対してモード変更に関する同意を得ると共に、同意したユーザには特典を与えてモード変更に係るユーザ同意を得易くした移動端末のモード変更方法及び携帯電話機を提供することを目的とする。
【課題を解決するための手段】
【０００６】
本発明の移動機のモード変更方法は、移動機に特典情報を含んだ確認画面を表示して当該確認画面上でモード変更に同意があった場合、当該移動機に前記特典のコンテンツをダウンロードすると共にモード変更の制御情報を移動機内に保存し、当該移動機が前記制御情報にしたがって当該制御情報に定めた期間及び特定エリアにおいて動作モードを変更することを特徴とする。
【０００７】
この構成によれば、移動機に特典情報を含んだ確認画面を表示して当該確認画面上でモード変更に同意があった場合にモード変更を行うので、特典を提示してモード変更の同意を得やすくなると共に必ず同意を得てからモード変更をするので、ユーザに不快な思いを抱かせることなくモード変更でき、また制御情報に期間の条件を加えたことにより必要な時間帯のみモードを変更することができる。
【０００８】
上記移動機のモード変更方法において、前記モード変更の制御情報は、前記特典のコンテンツとセットで又はコンテンツに埋め込んで移動機にダウンロードすることができる。
【０００９】
また本発明は、上記移動機のモード変更方法において、前記移動機が特定エリアの外へ移動した場合は、当該移動機の動作モードを元のモードに復帰することを特徴とする。
【００１０】
この構成により、移動機がモード変更する必要の無い特定エリアの外へ移動した場合は、移動機の動作モードを元のモードに復帰することができる。
【００１１】
上記移動機のモード変更方法において、前記移動機の動作モードを元のモードに復帰した際に振動又は音を発することが望ましい。これにより、ユーザは先に同意したモード変更が解除されたことを知ることができる。
【００１２】
また本発明の移動機は、コンテンツサーバにアクセスして特典情報を含んだ確認画面を取得すると共に当該確認画面上でモード変更に同意があった場合は特典取得要求及び同意情報を前記コンテンツサーバへ送信する制御手段と、前記同意情報を受信した前記コンテンツサーバから送られて来るモード変更の制御情報を記憶する制御情報記憶手段と、前記制御情報記憶手段に記憶された制御情報に定めた特定エリア及び期間と現在の位置情報及び時刻情報とを比較して、現在位置が特定エリア内でかつ現在時刻が期間内であれば動作モードを前記制御情報に定めたモードへ変更するモード制御手段とを具備したことを特徴とする。
【００１３】
この構成により、移動機に特典情報を含んだ確認画面を表示して当該確認画面上でモード変更に同意があった場合にモード変更を行うので、特典を提示してモード変更の同意を得やすくできると共に必ず同意を得てからモード変更するので、ユーザに不快な思いを抱かせることなくモード変更でき、また制御情報に期間の条件を加えたことにより必要な時間帯のみモードを変更することができる。
【００１４】
上記モード変更機能付き移動機において、前記モード制御手段は、モード変更後に移動機が特定エリア外へ移動したことを検出すると、動作モードを元のモードへ復帰させることが望ましい。これにより、ユーザは先に同意したモード変更が解除されたことを知ることができる。
【００１５】
また、上記モード変更機能付き移動機において、前記モード制御手段は、モード変更後に移動機が特定エリア外へ移動したことを検出すると、現在の変更モードを解除して元のモードへ復帰するか否か確認する確認画面を表示することが望ましい。これにより、特定エリア外へ移動したユーザがすぐに特定エリア内に戻るような場合には変更モードを維持することができる。
【００１６】
本発明のモード変更機能付き携帯電話機は、基地局又は無線ＬＡＮアクセスポイントを経由してコンテンツサーバにアクセスして特典情報を含んだ確認画面を取得すると共に当該確認画面上でモード変更に同意があった場合は特典取得要求及び同意情報を前記コンテンツサーバへ送信する制御手段と、前記同意情報を受信した前記コンテンツサーバから送られて来るモード変更の制御情報を記憶する制御情報記憶手段と、前記制御情報記憶手段に記憶された制御情報に定めた特定エリア及び期間と現在の位置情報及び時刻情報とを比較して、現在位置が特定エリア内でかつ現在時刻が期間内であれば動作モードを前記制御情報に定めたセルフモード、マナーモード又は電源オフモードへ変更するモード制御手段とを具備したことを特徴とする。
【００１７】
また本発明の移動機のモード変更システムは、移動機からコンテンツサーバにアクセスして特典情報を含んだ確認画面を取得して表示し、確認画面上でユーザがモード変更に同意した場合は同意情報を前記コンテンツサーバへ送信し、コンテンツサーバが移動機から前記同意情報を受信した場合には、移動機に対し前記確認画面で提示した特典のコンテンツをダウンロードすると共にモード変更の制御情報を送信し、前記コンテンツサーバから送られて来るコンテンツを保存すると共にモード変更の制御情報を移動機内に記憶し、移動機の現在の位置情報及び時刻情報を取り込んで前記制御情報に定めた特定エリア及び期間と比較し、現在位置が特定エリア内でかつ現在時刻が期間内であれば動作モードを前記制御情報に定めたモードへ変更することを特徴とする。
【発明の効果】
【００１８】
本発明によれば、指定場所に入ったユーザに対してモード変更に関する同意を得ると共に、同意したユーザには特典を与えてモード変更に係るユーザ同意を得易くすることができる。
【発明を実施するための最良の形態】
【００１９】
以下、本発明の実施の形態について添付図面を参照して詳細に説明する。
図１は本発明の一実施の形態に係る携帯電話機のモード変更方法のシーケンス図である。本実施の形態は、移動機としての携帯電話機１と、特定エリアに設けられた無線ＬＡＮアクセスポイント２と、無線ＬＡＮアクセスポイント２を介して携帯電話機１とデータ通信するコンテンツサーバ３とで構成される。
【００２０】
特定エリア内又は入口においてコンテンツサーバ３へのアクセス情報を提供する。特定エリアでは、携帯電話機１のモードを、マナーモード、セルフモード又は電源オフモードに設定することが望まれる。特定エリアとしては、コンサートホールや映画館が挙げられるが、本発明はこれらの施設に限定されるものではない。コンテンツサーバ３へのアクセス情報の提供方法としては、特定エリア内に設置したパンフレットその他の媒体にコンテンツサーバ３のＵＲＬ情報を提示する方法がある。この提示方法の場合、ユーザがコンテンツサーバ３のＵＲＬを携帯電話機１に直接入力し、又は二次元コード形式で表現されている場合にはカメラ撮影で読み込んでＵＲＬ情報に変換するようにする。また、特定エリアの施設入口に非接触型ＩＣカード読取装置を設置して携帯電話機１との間で行われる非接触型無線通信にてＵＲＬ情報を携帯電話機１に取り込むようにすることが可能である。図１に示す例では、図２に示すようにパンフレットに記載された二次元コードをカメラ撮影で読み込んでＵＲＬ情報を取り込んでいる。
【００２１】
コンテンツサーバ３のＵＲＬ情報を取り込んだ携帯電話機１は、特定エリアをカバーエリアとする無線ＬＡＮアクセスポイント２を介してコンテンツサーバ３へアクセスする。又は携帯電話機１を配下にしている基地局経由でコンテンツサーバ３へアクセスする。以下の説明では、無線ＬＡＮアクセスポイント２を介してコンテンツサーバ３へアクセスするものとする。
【００２２】
コンテンツサーバ３は、アクセスしてきた携帯電話機１に対して「モード変更」を受け入れることを条件に特典を与えることを内容とした確認画面を送信する。なお、特定エリアによって「制御情報」の内容（期間、変更モード、範囲）が異なるので、コンテンツサーバ３ではアクセスしてきた携帯電話機１が要求している特定エリアを識別する必要がある。本実施の形態では、携帯電話機１の発するリクエストに特定エリアの識別情報が含まれるようにする。例えば、二次元コードに特定エリアの識別情報を組み込んでおくことで、ユーザに意識させることなく特定エリアの識別情報を取り込み、サーバアクセス時のリクエストに特定エリアの識別情報を挿入することができる。
【００２３】
携帯電話機１は、コンテンツサーバ３からの応答である確認画面を受信して確認画面を表示する。確認画面を見たユーザは、「モード変更」を受け入れることに同意するか否か求められていることを理解することができる。図３は確認画面の一例である。特典となるコンテンツ（例えば、携帯電話機１で再生可能な音楽データ、携帯電話機１に貯めることのできるポイント）を保存した場合は、所定期間に亙り変更モード（マナーモード、セルフモード又は電源オフ）に自動変更されることに同意を求める内容となっている。この確認画面において「同意する」を選択すれば、特典取得要求と同意情報とがコンテンツサーバ３へ送られる。
【００２４】
コンテンツサーバ３では、携帯電話機１から同意情報及び特典取得要求を受け取ると、当該特定エリアにおける「制御情報」及び「特典」を準備する。図４に「制御情報」の一例を示す。「制御情報」にはモード変更の「期間」、変更後のモードを示す「変更モード」、モード変更の制御を受ける「範囲」を含めることができる。「特典」は確認画面で提示したコンテンツとなる。このような「制御情報」及び「特典」を、同意を確認できた携帯電話機１に対して送信する。
【００２５】
コンテンツサーバ３から携帯電話機１への「特典」及び「制御情報」の送信方式は特に限定されない。例えば、ＨＴＴＰによりコンテンツサーバ３から携帯電話機１へ「特典」のコンテンツ（例えば音楽データ）をダウンロードすると共に、そのＨＴＴＰの拡張ヘッダとして「制御情報」（期間、範囲、変更モード）を送信することができる。又は「特典」のコンテンツとは別のテキストファイルとして、コンテンツのダウンロードに付随して１つのファイルとして制御情報をダウンロードするようにしてもよい。
【００２６】
携帯電話機１は、「同意する」を選択したことによりコンテンツサーバ３から送信された「制御情報」及び「特典」を保存する。携帯電話機１には、「制御情報」を解釈して「制御情報」の指示にしたがってモードを変更するプログラム（以下、「モード変更プログラム」という）が予めインストールされている。モード変更プログラムが制御情報を解釈して当該携帯電話機１が「期間」及び「範囲」の条件に該当する場合は、モードを制御情報に指定されている変更モードへ変更する。
【００２７】
以上が、本実施の形態による携帯電話機のモード変更方法の概略である。
次に、上記モード変更プログラムがインストールされた携帯電話機１の具体的な構成及び動作について説明する。
【００２８】
図５は携帯電話機１の機能ブロック図である。制御部１０は、携帯電話機１全体の動作を管理しており、ＣＰＵ、ＲＯＭ、ＲＡＭ等を内蔵する。本実施の形態では、コンテンツサーバ３のＵＲＬ情報を取得する機能として、二次元コード読取手段１１、非接触型通信手段１２及び入力手段１３を備えている。二次元コード読取手段１１は、携帯電話機１に搭載した撮影ユニット及び二次元コード解析プログラムで構成され、コンテンツサーバ３のＵＲＬを表現した二次元コードをカメラ撮影して読み取る。非接触型通信手段１２は、携帯電話機１に搭載された非接触型ＩＣカードの部分であり、電子マネーの媒体として機能すると共に本例ではコンテンツサーバ３のＵＲＬ情報の送受信を行うようにしている。入力手段１３は、ユーザが操作するボタン操作部で構成され、ブラウザソフトを立ち上げてコンテンツサーバ３のＵＲＬを入力することにより、当該コンテンツサーバ３にアクセスする。
【００２９】
携帯電話機１において、無線ＬＡＮアクセスポイント２を介したコンテンツサーバ３との通信は無線通信制御手段１４が行う。無線通信制御手段１４は、無線ＬＡＮアクセスポイント２との無線通信の他に、携帯電話網の基地局との無線通信も行っている。コンテンツサーバ３から携帯電話機１へ配信した確認画面はブラウザソフトを介して表示手段１５に表示される。確認画面に対して同意する旨の操作がなされるとブラウザソフトが検出してコンテンツダウンロードのリクエストをコンテンツサーバ３へ送出する。また、携帯電話機１に対してコンテンツサーバ３から配信された「制御情報」は制御情報記憶部１６に保存され、「特典」は制御部１０の図示されていないＲＡＭに格納される。なお、「制御情報」の保存先は専用の記憶媒体である必要はないが、説明の都合上、抜き出して示している。制御情報記憶部１６に保存され制御情報はモード制御部１７が読み出して解析し、制御情報にしたがってモード変更を行う。モード制御部１７は制御情報に含まれる「範囲」で示される特定エリアに当該携帯電話機１が入っているか否か判断する際に利用する位置情報をＧＰＳ測位手段１８から取得する。ＧＰＳ測位手段１８はＧＰＳ衛星から送信される信号に基づいて現在位置（経度緯度情報）を求める機能を有する。またモード制御部１７は、後述するように、基地局から送信されるセクタ情報を、携帯電話機１が特定エリアに入っているか否か判断する際に利用することも可能である。
【００３０】
報知手段１９は、変更モードに切替えられた携帯電話機１が特定エリア外に出てモード復帰した際に、その旨をユーザに知らせるためのバイブレーション動作又は報知音声出力を行う部分である。アプリ制御部２０は、携帯電話機１にインストールされた各種アプリケーションソフトを制御する部分である。
【００３１】
図６は携帯電話機１がコンテンツサーバ３から「制御情報」を受信してからモード変更までの処理の流れを示すフロー図である。
【００３２】
前述したように、携帯電話機１に表示された確認画面でモード変更に同意した場合、携帯電話機１に「特典」及び「制御情報」が送信される。携帯電話機１の制御情報記憶部１６にはその制御情報が記憶されている。
【００３３】
モード制御部１７は、制御情報記憶部１６から制御情報を読み出して解析し（ステップＳ１）、携帯電話機１に内蔵する時計機能から日時情報を取得して制御情報に設定された「期間」と比較する（ステップＳ２）。例えば、特定エリアがコンサート会場の場合には、開始時間と終了時間とが判るので、コンサート開催日における開始時間から終了時間を「期間」に設定しておくことができる。
【００３４】
ステップＳ２の判定の結果、期間内でなかった場合は、さらに期間前か否か判断し（ステップＳ３）、期間前であった場合は開始時間になるまで待機する（ステップＳ４）。また、期間後であった場合は、現状のモードを維持する。なお、待機したまま開始時間になった場合はステップＳ５へ移行する。
【００３５】
一方、ステップＳ２の判定で期間内であると判断した場合は、制御情報に設定された範囲内に居るか否か判断する（ステップＳ５）。携帯電話機１の位置情報はＧＰＳ測位データ（経度緯度情報）又は基地局のセクタ情報のいずれであっても良い。例えば、制御情報に経度緯度形式で「範囲」が規定されていればＧＰＳ測位手段１８から位置情報を取得する。また、制御情報に基地局識別情報およびセクタ情報の組み合わせで「範囲」が規定されていれば無線通信制御手段１４から現在通信中の基地局の識別情報およびセクタ情報を取得する。ユーザが特定エリア内に入った後、モード変更前に特定エリアから外へ出た場合にはステップＳ５の判定で範囲外と判定される。この場合は、現状のモードを維持する。
【００３６】
ステップＳ５の判定の結果、携帯電話機１が特定エリア内にいると判断した場合、制御情報に設定されている「変更モード」を判断する（ステップＳ６）。本実施の形態では、「セルフモード」「マナーモード」「電源オフモード」の順に判定している。ステップＳ６の判定で「セルフモード」が指定されていた場合は、現在のモードがセルフモード以外であれば（ステップＳ７）、モード制御部１７が携帯電話機１の設定をセルフモードに変更する（ステップＳ８）。すなわち、電話の発着信やメールの送受信、赤外線通信などの通信機能を利用できないようにする。
【００３７】
また、ステップＳ６の判定でセルモード以外であった場合は、さらに変更モードは「マナーモード」が制御情報に指定されているか否か判断する（ステップＳ９）。現在のモードがマナーモード以外であれば（ステップＳ１０）、モード制御部１７が携帯電話機１の設定をマナーモードに変更する（ステップＳ１１）。すなわち、着信時に音を鳴らさずにバイブレータで振動を発するように設定する。
【００３８】
また、ステップＳ９の判定でマナーモード以外であった場合は、さらに変更モードは「電源オフモード」か否か判断する（ステップＳ１２）。変更モードが電源オフモードであれば、モード制御部１７が携帯電話機１の電源をオフする（ステップＳ１３）。
【００３９】
このように、期間の開始前にあっては特定エリアに入っていても開始時間まで待機するので（ステップＳ４）、それまでは現状のモードが維持されており自由に通話をし、またコンテンツを送受信することができる。例えば、コンサート会場や映画館において、開演／上演前であれば特定エリアである会場内及び館内であってもモードをマナーモード等に設定する必要性が低く、通話又はコンテンツの送受信を行いたいというユーザの要望に応えることができる。
【００４０】
以上のようにして、特定エリア内に入った携帯電話機１は「期間」内であればユーザの同意を得た上で動作モードが自動的に変更モードに切替えられる。そして、制御情報に指示された「期間」経過後、及び「期間」経過前に特定エリア外へ出た場合は、変更モードが解除されて通常モードへ復帰させる。
【００４１】
図７は、変更モードに切替えられた携帯電話機１の動作モードを通常モードへ復帰させる際の概念図である。携帯電話機１には、同図に示す制御情報Ｍ１が制御情報記憶部１６に記憶されており、特定エリアとなるコンサートホールに入場した際にセルフモードが変更モードとして設定されている。
【００４２】
そして、携帯電話機１を所持したユーザがコンサートホール（特定エリア）から外へ出る前に、制御情報Ｍ１に設定された期間の終了時刻（2006/08/29 15:30）が経過した。本実施の形態では、モード制御部１７は定期的に現在時刻と「期間」の終了時刻とを比較していて、特定エリア内において現在時刻が「期間」の終了時刻となった場合、報知手段１９を制御してユーザに知らせる。例えば、バイブレータ機能で振動させると共に通常モードへ復帰するか否かの確認画面Ｍ２を表示手段１５に表示させる。ユーザは確認画面Ｍ２を見てモード変更時に同意した「期間」が経過したことを知る。例えば、コンサートが予定時間通りに終わっていない場合はセルフモードを維持することが望ましい。また、コンサートが予定の時間で終了した場合は通常モードに復帰することが望まれる。ユーザはそのときの状況に応じてセルフモードの解除の要否を判断する。確認画面Ｍ２において「はい」が選択された場合はセルフモードを解除して、通常モードへ復帰させる。「いいえ」が選択された場合はセルフモードを維持する。
【００４３】
このように、制御情報に設定された「期間」の終了時刻となった場合であっても、変更モードの解除要否をユーザに確認するようにしたので、変更モードを解除すべきでない状況であるにも拘わらず、自動的に変更モードが解除される不都合を回避することができる。
【００４４】
また本実施の形態では、モード制御部１７は定期的に現在位置と「範囲」とを比較していて、制御情報に設定された「期間」の終了前に「範囲」の外へ出たことを検知した場合も、上記同様に報知手段１９を制御してユーザに知らせる。例えば、バイブレータ機能で振動させると共に通常モードへ復帰するか否かの確認画面Ｍ２を表示手段１５に表示させる。例えば、コンサートホールから外に出ても、すぐに元の場所に戻ってくる場合もある。このような場合は、変更モードを維持しておけば良い。
【００４５】
図８は携帯電話機１が基地局情報に基づいて特定エリア外に出たか否かを判定する概念図である。携帯電話機１は基地局Ａのセクタａにいて、制御情報Ｍ１に基づいてセルフモードが設定されているものとする。モード制御部１７は、無線通信制御手段１４が基地局との通信で取得する基地局情報から基地局識別情報（Ａ）とセクタ情報（ａ）とを取り出して、制御情報Ｍ１の「範囲」と比較する。ユーザが基地局Ａにおける隣接セクタｃへ移動した場合は、基地局情報に含まれるセクタ情報が「ａ」から「ｃ」に変化する。セクタ情報の変化を契機にして、前述した変更モードの解除手順を実行する。
【００４６】
また、基地局Ａのセクタａから隣の基地局Ｂのセクタｃへ移動した場合、基地局情報に含まれる基地局識別情報が「Ａ」から「Ｂ」に変化すると共にセクタ情報が「ａ」から「ｃ」に変化する。基地局識別情報及び又はセクタ情報の変化を契機にして、前述した変更モードの解除手順を実行する。
【００４７】
図９は携帯電話機１がＧＰＳ測位情報に基づいて特定エリア外に出たか否かを判定する概念図である。制御情報Ｍ１には経度緯度を中心とした半径で「範囲」が指定されている。モード制御部１７は、制御情報Ｍ１に指定された経度緯度とＧＰＳ測位手段１８から取得される経度緯度との差から「範囲」内か否かの判断を行う。制御情報Ｍ１に指定された「範囲」から外に出たことを契機にして、前述した変更モードの解除手順を実行する。
【００４８】
以上の説明では、コンサートホール／映画館等の特定エリアの入口又はエリア内においてコンテンツサーバ３にアクセスして「制御情報」を取得しているが、特定エリアへ入る前に事前にコンテンツサーバ３にアクセスして確認画面を受信し、モード変更の「同意」を条件として「特典」をダウンロードするようにするようにしても良い。例えば、事前に販売される入場券に二次元コードを印刷しておき、この二次元コードを携帯電話機１で読み取ることで入場前にコンテンツサーバ３にアクセスして「同意」と「特典」のダウンロードとを完了しておく。開催日／上映日に特定リアに入ってから、図６に示すフロー図にしたがってモード変更を実施する。
【００４９】
本発明は上記一実施の形態に限定されるものではなく、本発明の要旨を逸脱しない範囲で変形実施可能である。例えば、動作モードを変更する装置は携帯電話機１に限定されるものではなく、通常モードの他に特定エリアでは電源オフモード等の特定の動作モードに変更する移動機であれば同様に適用可能である。
【産業上の利用可能性】
【００５０】
本発明は、特定エリアに入ると動作モードを所定モードに変更する携帯電話システムに適用可能である。
【図面の簡単な説明】
【００５１】
【図１】本発明の一実施の形態に係る携帯電話機のモード変更方法のシーケンス図
【図２】パンフレットに記載された二次元コードの平面図
【図３】上記一実施の形態における確認画面の一例を示す図
【図４】上記一実施の形態における制御情報の一例を示す図
【図５】上記一実施の形態における携帯電話機の機能ブロック図
【図６】上記一実施の形態において携帯電話機がコンテンツサーバから制御情報を受信してからモード変更までの処理の流れを示すフロー図
【図７】携帯電話機の動作モードを通常モードへ復帰させる際の概念図
【図８】携帯電話機が基地局情報に基づいて特定エリア外に出たか否かを判定する概念図
【図９】携帯電話機がＧＰＳ測位情報に基づいて特定エリア外に出たか否かを判定する概念図
【符号の説明】
【００５２】
１…携帯電話機
２…無線ＬＡＮアクセスポイント
３…コンテンツサーバ
１０…制御部
１１…二次元コード読取手段
１２…非接触型通信手段
１３…入力手段
１４…無線通信制御手段
１５…表示手段
１６…制御情報記憶部
１７…モード制御部
１８…ＧＰＳ測位手段
１９…報知手段
２０…アプリ制御部
【図１】
2008277937.tif 000003
【図２】
2008277937.tif 000004
【図３】
2008277937.tif 000005
【図４】
2008277937.tif 000006
【図５】
2008277937.tif 000007
【図６】
2008277937.tif 000008
【図７】
2008277937.tif 000009
【図８】
2008277937.tif 000010
【図９】
2008277937.tif 000011